(57)【要約】【課題】従来の自走式掃除機においては、使用者の掃除機運転状況の学習で吸引力の大枠を決定しゴミ量を補正するので、特定場所が最適な吸引力にならない場合があり、またベッドやテーブルの下等の掃除を怠りがちな場所では運転頻度が減り学習に反映され難く、ごみ検知手段での検知後しか掃除性能を上げられないため、床面を傷める原因となり易い、掃除機の吸引ノズルの前後動作や走行パターンを必要とした。【解決手段】走行手段１０２と、上部距離検知手段１０３と、掃除手段１０４と、掃除掃除能力可変手段１０５と、制御手段１０６とを備え、制御手段１０６は、上部距離検知手段１０３で検知する上部距離に応じて掃除能力を決定することで、ごみ検知手段を有さずとも、ごみの多いことが予想できる物陰等では掃除能力を上げて集塵性能を向上できる。また吸引ノズルの前後動作や走行パターンも不要で、床面を傷めることもなくなる。【選択図】図１
2005111042.tif 000002
【特許請求の範囲】
【請求項１】
走行手段と、上部の障害物との距離を検知するための上部距離検知手段と、掃除手段と、前記掃除手段の掃除能力を可変する掃除能力可変手段と、制御手段とを備え、前記制御手段は、前記上部距離検知手段で検知する上部距離に応じて、前記掃除能力可変手段で掃除能力を可変する自走式掃除機。
【請求項２】
走行手段と、上部の障害物との距離を検知するための上部距離検知手段と、掃除手段と、前記走行手段の走行速度を可変する走行速度可変手段と、制御手段とを備え、前記制御手段は、上部距離検知手段で検知する上部距離に応じて、前記走行速度可変手段で走行速度を可変する自走式掃除機。
【請求項３】
走行手段と、上部の障害物との距離を検知するための上部距離検知手段と、掃除手段と、ごみを吸着する吸着手段と、制御手段とを備え、前記制御手段は、上部距離検知手段で検知する上部距離に応じて、前記吸着手段の動作状態を決定する自走式掃除機。
【請求項４】
報知手段を備え、制御手段は、上部距離検知手段で検知する上部距離が所定値未満の時に前記報知手段で報知する請求項１〜３のいずれか１項記載の記載の自走式掃除機。
【請求項５】
報知手段を備え、制御手段は、上部距離検知手段で検知する上部距離が第１の所定値未満になった後、上部距離が第２の所定値以上になった時に前記報知手段で報知する請求項１〜３のいずれか１項記載の記載の自走式掃除機。
【請求項６】
標準よりも簡易な掃除モードを選択可能な簡易掃除モード選択手段を備え、制御手段は、前記簡易掃除モード選択手段で簡易な掃除モードが選択された時は、上部距離検知手段で検知する上部距離が所定値未満の場所は走行しないようにした請求項１〜５のいずれか１項記載の自走式掃除機。
【請求項７】
コンピュータを請求項１〜６のいずれか１項記載の自走式掃除機の全てもしくは一部として機能させるためのプログラム。
【発明の詳細な説明】
【技術分野】
【０００１】
本発明は、人間の介助なしに自立して走行する自走式掃除機に関するものである。
【背景技術】
【０００２】
従来の掃除機は、単位時間間隔ごとの総掃除機運転時間に占めるパワーノズル運転比率値の値から吸い込み力可変範囲設定手段により電動送風機の入力の設定範囲を決定し、入力の設定範囲内で単位時間内に塵埃通路を通る塵埃を検知するごみセンサの検知結果である瞬時瞬時のゴミ量の多少により位相制御手段にて前記電動送風機の入力を決定するもので、その掃除機でなされる全ての掃除についての使用者のパワーノズル運転状況の学習で吸引力の大枠が決定し、ごみ量の多少で設定範囲を補正するものであった（例えば、特許文献１参照）。
【０００３】
図８は、前記特許文献１に記載された従来式の掃除機の構成を示すものである。図８に示すように、マイクロコンピュータ１５には、ホースの塵埃通路を通過する塵埃による光量変化を検出するセンサ８のパルス変換手段３８を介して入力されるパルス数を単位時間内でカウントする計数手段１６を有している。またパワーノズル起動用スイッチ１０が選択された際の抵抗１１の両端に発生するＨ電圧の立ち上がりを検出するためのパワーノズル起動有無検出手段１３とパワーノズルを動作して運転している時間を計数しているパワーノズル累積運転時間計数手段１４を有している。さらにパワーノズル累積運転時間計数手段１４により求まる一定時間間隔ごとパワーノズル使用頻度を算出する単位時間内パワーノズル運転比率検出手段１９を有しており、ごみ量判定手段１７と単位時間内パワーノズル運転比率検出手段１９の出力から吸い込み力の制御範囲を決定する吸い込み力可変範囲設定手段１８を備えている。また、ごみ量判定手段１７とパワーノズル累積運転時間計数手段１４で得られた床面情報を記憶させる不揮発性記憶手段３７を備えている。マイクロコンピュータ１５の出力は位相制御手段３３に入力し、電動送風機２の入力制御をする。
【０００４】
計数手段１６では、センサ８で検出したごみを所定時間（例えば０．１秒間）積算する。積算することによって、その時点の床面にあるごみ量が判る。また、単位時間内のパワーノズル起動スイッチ１０の使用頻度を単位時間内パワーノズル運転比率検出手段１９で検出することにより間接的にじゅうたん主体か木床／たたみ主体かを判定し、単位運転時間の総掃除機運転時間内でパワーノズルを使用（回転ブラシを回転させて使用）して運転した時間と停止して運転した時間からパワーノズル運転比率を求め、制御情報を定期的に不揮発性記憶手段３７に記憶する。
【０００５】
掃除を行う吸い込み力は、計数手段１６と不揮発性記憶手段３７の出力から吸い込み力可変範囲設定手段１８にて電動送風機２の入力可変範囲が設定され、決定された吸い込み力可変範囲に基づき、電動送風機２の位相制御量を瞬時瞬時のごみ量の多少にて算出し位相制御手段３３にて制御を行うものである。
【０００６】
また、その他の従来の自走式掃除機は、移動制御手段を有し、障害物を検知して障害物を回避するための走行パターンと、ゴミを検知してよりゴミをとりやすくする走行パターンに切り換えるというようなゴミ検知時には走行パターンを切り換えて集塵性能を向上するというものであった（例えば、特許文献２参照）。
【０００７】
図９は、特許文献２に記載された従来の自走式掃除機の移動制御の全体の流れを示すものである。まず、本体が運転を開始すると、ステップＳ１では左右の駆動モータを駆動して本体を前進させ、ステップＳ２で障害物があるかどうかを判断し、障害物がなければステップＳ３に進む。ステップＳ３ではゴミ検知手段の入力から吸引ゴミ量が所定量以上かどうかを判断し、所定量以上のゴミがあればステップＳ４に進み、所定量以上のゴミがなければステップＳ１に戻る。ステップＳ４では予め決められたゴミの集中吸引のための特定パターン移動モード（ＣＭ１）の動作を開始し、ステップＳ５に進む。ステップＳ５では障害物があるかどうかを判断し、障害物がなければステップＳ４に戻り、パターン移動を継続する。ステップＳ２またはＳ５で障害物があると判断した場合はステップＳ６に進む。ステップＳ６は障害物回避制御モード（ＣＭ２）の動作を行なうものである。
【特許文献１】特開平０５−１５４０７６号公報
【特許文献２】特開２０００−７８６５０号公報
【発明の開示】
【発明が解決しようとする課題】
【０００８】
しかしながら、前記従来の構成では、総掃除機運転時間に占めるパワーノズル運転比率値で電動送風機の入力の設定範囲を決定し、ごみ量の多少で設定範囲を補正するものであるため、特定の場所ではなく、その掃除機でなされる全ての掃除についての使用者のパワーノズル運転状況の学習で吸引力の大枠が決定するため、ゴミ量での補正はあるものの必ずしも特定の場所に最適な吸引力が決定されるものではないという課題を有していた。さらにベッドやテーブルの下等の掃除を怠りがちな場所については運転が行われる頻度が減るために学習に反映されにくいという課題を有していた。
【０００９】
また、ごみ検知手段で検知した後、即ち吸引ノズルがごみのある場所を通過してしまった後でしか掃除性能を上げることができないために、前後で吸引ノズルを動かすという動作または走行パターンが必要となり、床面を傷める原因になり易いという課題を有していた。
【００１０】
本発明は、前記従来の課題を解決するもので、ごみ検知手段を備えなくとも、ごみの多いことがあらかじめ予想できるベッドやテーブルの下等の物陰では掃除能力を上げて集塵性能を向上させ、またごみ検知手段による検知前後で吸引ノズルを動かすという動作、走行パターン等を必要としない自走式掃除機を提供することを目的とする。
【課題を解決するための手段】
【００１１】
前記従来の課題を解決するために、走行手段と、上部の障害物との距離を検知するための上部距離検知手段と、掃除手段と、前記掃除手段の掃除能力を可変する掃除能力可変手段と、制御手段とを備え、前記制御手段は、前記上部距離検知手段で検知する上部距離に応じて、前記掃除能力可変手段での掃除能力を可変する自走式掃除機としたものである。
【００１２】
これによって、ごみ検知手段を備えなくとも、ごみの多いことがあらかじめ予想できる物陰では、掃除能力を上げて集塵性能を向上させることができる。
【発明の効果】
【００１３】
本発明の自走式掃除機は、ごみ検知手段を備えなくとも、ごみの多いことがあらかじめ予想できるベッドやテーブルの下等の物陰で、掃除能力を上げて集塵性能を向上させることができる自走式掃除機を提供できる。また、床面を傷める原因となり易い、前後で吸引ノズルを動かすという動作あるいは走行パターンを必要としない自走式掃除機を提供することができる。
【発明を実施するための最良の形態】
【００１４】
請求項１に記載の発明は、走行手段と、上部の障害物との距離を検知するための上部距離検知手段と、掃除手段と、前記掃除手段の掃除能力を可変する掃除能力可変手段と、制御手段とを備え、前記制御手段は、前記上部距離検知手段で検知する上部距離に応じて、前記掃除能力可変手段で掃除能力を可変するようにしたことで、ごみ検知手段を備えなくとも、ごみの多いことがあらかじめ予想できるベッドやテーブルの下等の物陰では、掃除能力を上げて集塵性能を向上させ、また、床面を傷める原因となり易い、前後で吸引ノズルを動かすという動作、走行パターンを必要としない自走式掃除機を提供することができる。
【００１５】
請求項２に記載の発明は、走行手段と、上部の障害物との距離を検知するための上部距離検知手段と、掃除手段と、前記走行手段の走行速度を可変する走行速度可変手段と、制御手段とを備え、前記制御手段は、上部距離検知手段で検知する上部距離に応じて、前記走行速度可変手段で走行速度を可変することで、ごみ検知手段を備えなくとも、ごみの多いことがあらかじめ予想できるベッドやテーブルの下等の物陰では、走行速度を落としてじっくり掃除を行って集塵性能を向上させ、また、床面を傷める原因となり易い、前後で吸引ノズルを動かすという動作、走行パターンを必要としない自走式掃除機を提供することができる。
【００１６】
請求項３に記載の発明は、走行手段と、上部の障害物との距離を検知するための上部距離検知手段と、掃除手段と、ごみを吸着する吸着手段と、制御手段とを備え、前記制御手段は、上部距離検知手段で検知する上部距離に応じて、前記吸着手段の動作状態を決定することで、ごみ検知手段を備えなくとも、ごみの多いことがあらかじめ予想できるベッドやテーブルの下等の物陰では、吸着手段を動作させて、集塵性能を向上させ、また、床面を傷める原因となり易い、前後で吸引ノズルを動かすという動作、走行パターンを必要としない自走式掃除機を提供することができる。
【００１７】
請求項４に記載の発明は、特に、請求項１〜３のいずれか１項に記載の発明に加えて、報知手段を備え、制御手段は、上部距離検知手段で検知する上部距離が所定値未満の時に前記報知手段で報知することで、ベッドやテーブルの下等の物陰に自走式掃除機がもぐり込んで視界から見えていなくても使用者に走行していることを容易にわからせることができる。
【００１８】
請求項５に記載の発明は、特に、請求項１〜３のいずれか１項に記載の発明に加えて、報知手段を備え、制御手段は、上部距離検知手段で検知する上部距離が第１の所定値未満になった後、上部距離が第２の所定値以上になった時に前記報知手段で報知することで、ベッドやテーブルの下等の物陰に自走式掃除機がもぐり込んで視界から見えていなくても、もぐり込んだ場所から出て来る時に報知するので人がつまずいたりすることなく安全な自走式掃除機を提供することができる。
【００１９】
請求項６に記載の発明は、特に、請求項１〜５のいずれか１項記載の発明に加えて、標準よりも簡易な掃除モードを選択可能な簡易掃除モード選択手段を備え、制御手段は、前記簡易掃除モード選択手段で簡易な掃除モードが選択された時は上部距離検知手段で検知する上部距離が所定値未満の場所は走行しないようにすることで、ベッドやテーブルの下等の物陰等の複雑な場所は掃除を間引いて短時間で最低限の掃除を効率的に行うことができる。
【００２０】
請求項７に記載した発明は、コンピュータを請求項１〜６のいずれか１項記載の自走式掃除機の全てもしくは一部として機能させるためのプログラムとする構成として、コンピュータを請求項１〜６のいずれか１項記載の自走式掃除機の全てもしくは一部として機能させることで、汎用コンピュータやサーバーを用いて本発明の自走式掃除機の全てもしくは一部を容易に実現することができる。
【００２１】
以下、本発明の実施の形態について、図面を参照しながら説明する。なお、この実施の形態によって本発明が限定されるものではない。
【００２２】
（実施の形態１）
図１は本発明の第１の実施の形態における自走式掃除機の構成を示すブロック図である。自走式掃除機の本体１０１は、走行手段である駆動輪１０２、斜め前方または上部の障害物との距離を検知するための上距離検知手段１０３、掃除手段１０４（本実施の形態では吸引手段）、掃除手段１０４の掃除能力を可変するための掃除能力可変手段１０５（本実施の形態では吸引能力可変手段）、制御手段１０６、駆動輪１０２ｎ走行速度を可変するための走行速度可変手段１０７を備えている。また、図２は第１の実施の形態の動作の流れを示すフローチャートである。
【００２３】
以上のように構成された自走式掃除機について、以下その動作、作用を説明する。図１および図２において、まず、制御手段１０６は、走行速度可変手段１０７を介し駆動輪１０２を制御して走行を開始すると共に、吸引能力可変手段１０５により予め使用者によって設定された吸引レベルにして吸引手段１０４を起動する（ステップ１）。走行中、制御手段１０６は、常に上部距離検知手段１０３により上部の障害物との距離を検知し、上部距離が所定値（本実施の形態では３ｃｍ）以上の時は、走行速度可変手段１０７により走行速度は予め決められた標準速度にすると共に、吸引能力可変手段１０５により吸引手段１０４の吸引能力を予め使用者によって設定された吸引レベルのままにして、走行及び掃除を継続する（ステップ２〜４）。検知する上部距離が３ｃｍ未満の時には、制御手段１０６は、走行速度可変手段１０７により走行速度を減速（本実施の形態では上部距離が２ｃｍ以上３ｃｍ未満時に標準速度の１／２、上部距離が１ｃｍ以上２ｃｍ未満時に標準速度の１／４、上部距離が１ｃｍ未満時に停止）し、上部距離が１ｃｍ未満の時には障害物回避動作を行う（ステップ２、ステップ５〜７）。上部距離が１ｃｍ以上３ｃｍ未満の時には、吸引能力可変手段１０５により吸引手段１０４の吸引能力のレベルを使用者によって設定されたレベルより１ランク上げたレベルにして、即ち『弱』に設定されていれば『中』に、『中』に設定されていれば『強』に、但し既に『強』に設定されているならば『強』のままで、吸引を行う（ステップ２、ステップ５、ステップ６、ステップ８）。
【００２４】
また、本実施の形態では、掃除手段を吸引手段としたが、モップがけ等の他の掃除手段とすることもできる。さらに、本実施の形態では、上部距離のランクに応じて走行速度を決定するようにしたが、上部距離が所定値未満の時は、例えば標準速度の１／２等の一定比率または一定の速度絶対値としてもかまわない。さらに、本実施の形態では、吸引能力可変手段１０５により吸引能力を上げる方法を使用者によって設定されたレベルより１ランク上げたレベルとしたが、５割アップ等の様に比率で上げることもできる。
【００２５】
以上のように、本実施の形態においては、走行手段１０２と、上部の障害物との距離を検知するための上部距離検知手段１０３と、吸引手段（掃除手段）１０４と、吸引手段（掃除手段）１０４の掃除能力を可変する吸引能力可変手段（掃除能力可変手段）１０５と、制御手段１０６と、走行速度可変手段１０７を備え、制御手段１０６は、上部距離検知手段１０３で検知する上部距離に応じて、吸引能力可変手段（掃除能力可変手段）１０５で掃除能力を決定するようにしたことで、ごみ検知手段を備えなくとも、ごみの多いことがあらかじめ予想できるベッドやテーブルの下等の物陰では、掃除能力を上げたり、走行速度を落としてじっくり掃除することで、ごみ取れ性を向上させ、前後で吸引ノズルを動かすという動作または走行パターンを行わずに床面を傷めない自走式掃除機を提供することができる。
【００２６】
尚、本実施の形態において、吸引能力可変手段と走行速度可変手段の両方を備えた場合の説明を行ったが、どちらか片方しか有していなくても、支障が無いものである。
【００２７】
（実施の形態２）
図３は、本発明の第２の実施の形態における自走式掃除機の構成を示すブロック図である。図１の構成に加えて、吸着手段１０８を備えている。吸着手段１０８は、脱着可能な粘着テープローラとし、通常は床面に接触しないよう本体１０１内に収容され、動作する際には床面に接触するまで本体１０１より下降し、走行中には走行と合わせてローラが回転し、ごみを吸着するものとした。
【００２８】
以上のように構成された自走式掃除機について、以下その動作、作用を説明する。図３において、まず、制御手段１０６は、走行速度可変手段１０７を介し駆動輪１０２を制御して走行を開始すると共に、吸引能力可変手段１０５により予め使用者によって設定された吸引レベルにして吸引手段１０４を起動する。次に、制御手段１０６は、上部距離検知手段１０３で検知される上部距離が所定距離未満（本実施の形態では３ｃｍ未満、但し障害物回避のため１ｃｍ未満は対象外）の時に、吸着手段１０８を本体１０１より床面に接触するまで下降させ、走行と共にローラを回転させ、ごみを吸着させる。上部距離が１ｃｍ未満または３ｃｍ以上の時には、吸着手段１０８を本体１０１に収容する。
【００２９】
また、本実施の形態では、吸着手段１０８を本体１０１より昇降する粘着テープローラとしたが、回転しない粘着テープスタンパーを昇降させてスタンピングさせるようにしてもかまわないし、ローラの静電気帯電を制御して静電気を帯電させてごみを吸着させるようにしてもかまわない。
【００３０】
以上のように、本実施の形態においては、吸着手段１０８を備え、制御手段１０６は、上部距離検知手段１０３で検知する上部距離に応じて、吸着手段１０８を動作させるか否かを決定することで、ごみ検知手段を備えなくとも、ごみの多いことがあらかじめ予想できるベッドやテーブルの下等の物陰では、吸着手段を動作させて、集塵性能を向上させ、前後で吸引ノズルを動かすという動作または走行パターンを行わず、床面を傷めることのない自走式掃除機を提供することができる。
【００３１】
尚、本実施の形態において、図３に、吸引能力可変手段と走行速度可変手段の両方を備えた場合を図示しているが、これらを有していなくても、吸着手段に影響を与えるものではなく、支障が無いものである。
【００３２】
（実施の形態３）
図４は、本発明の第３の実施の形態における自走式掃除機の構成を示すブロック図である。図３の構成に加えて、報知手段１０９を備えている。また、図５は同、第３の実施の形態の動作の流れを示すフローチャートである。
【００３３】
以上のように構成された自走式掃除機について、以下その動作、作用を説明する。図４および図５において、まず、制御手段１０６は、走行速度可変手段１０７を介し駆動輪１０２を制御して走行を開始すると共に、吸引能力可変手段１０５により予め使用者によって設定された吸引レベルにして吸引手段１０４を起動する（ステップ９）。制御手段１０６は、上部距離検知手段１０３で検知する上部距離が１ｃｍ未満の時は、障害物回避動作を行い、報知手段１０９での報知は行わない（ステップ１０、１１）。また、上部距離が１ｃｍ以上３ｃｍ未満の時は、報知手段１０９で、「障害物の下を走行しています。」と音声報知する（ステップ１０、１２、１３）。前回検知した上部距離が上部距離が第１の所定距離未満（本実施の形態では３ｃｍ未満、但し障害物回避のため１ｃｍ未満は対象外）で、今回検知した上部距離が第２の所定距離以上（本実施の形態では２０ｃｍ以上）の時は、報知手段１０９で、「障害物の下から出て走行します。」と音声報知する（ステップ１４〜１６）。
【００３４】
また、本実施の形態では、報知手段１０９での報知を音声報知としたが、ブザー音等で吹鳴回数や吹鳴パターンを変えて報知するようにしてもかまわないし、メロディ等で報知するようにしてもかまわない。
【００３５】
以上のように、本実施の形態においては、報知手段１０９を備え、制御手段１０６は、上部距離検知手段１０３で検知する上部距離が所定値未満の時に報知手段１０９で報知し、上部距離が第２の所定値以上になった時に報知手段１０９で報知することで、ベッドやテーブルの下等の物陰に自走式掃除機がもぐり込んで視界から見えていなくても使用者に走行していることを容易にわからせることができるし、自走式掃除機がもぐり込んだ場所から出て来る時に報知するので人がつまずいたりすることなく安全な自走式掃除機を提供することができる。
【００３６】
（実施の形態４）
図６は、本発明の第４の実施の形態における自走式掃除機の構成を示すブロック図である。図４の構成に加えて、標準よりも簡易な掃除モードを選択可能な簡易掃除モード選択手段１１０を備えている。また、図７は同、第４の実施の形態の動作の流れを示すフローチャートである。
【００３７】
以上のように構成された自走式掃除機について、以下その動作、作用を説明する。図６及び図７において、まず、使用者は簡易掃除モード選択手段１１０で予め掃除を標準モードで行うか、簡易モードで行うかを選択しておく（ステップ１７）。制御手段１０６は、走行速度可変手段１０７を介し駆動輪１０２を制御して走行を開始すると共に、吸引能力可変手段１０５により予め使用者によって設定された吸引レベルにして吸引手段１０４を起動する（ステップ１８）。次に、制御手段１０６は、上部距離検知手段１０３で検知した上部距離が１ｃｍ未満の時は、障害物回避動作を行う（ステップ１９、２０）。上部距離が１ｃｍ以上３ｃｍ未満の時には、簡易掃除モード選択手段１１０で選択されている掃除モードをチェックする（ステップ１９、２１、２２）。簡易掃除モードが選択されている場合には、その進行方向への走行を回避するように制御（ステップ２３）し、即ち上部距離が３ｃｍ以上になるまで回転した後に走行を継続させる。標準掃除モードが選択されている場合には、その進行方向への走行をそのまま継続させる。
【００３８】
以上のように、本実施の形態においては、標準よりも簡易な掃除モードを選択可能な簡易掃除モード選択手段１１０を備え、制御手段１０６は、簡易掃除モード選択手段１１０で簡易掃除モードが選択された時は上部距離検知手段１０３で検知する上部距離が所定値より短いところは走行しないようにすることで、ベッドやテーブルの下等の物陰等の複雑な場所は掃除を間引いて短時間で最低限の掃除を効率的に行うことができる。
【００３９】
（実施の形態５）
次に本発明の第５の実施の形態について図６及び図７を用いて説明する。
【００４０】
本実施の形態は、コンピュータを、図６及び図７の自走式掃除機の全てもしくは一部として機能させるためのプログラムとする構成として、コンピュータを全てもしくは一部として機能させるものである。
【００４１】
以上のように本実施の形態においては、自走式掃除機の全てもしくは一部として機能させるためのプログラムとすることで、汎用コンピュータやサーバーを用いて本発明の自走式掃除機の全てもしくは一部を容易に実現することができる。、汎用コンピュータやサーバーを用いて本発明の自走式掃除機の全てもしくは一部を容易に実現することができる。
【産業上の利用可能性】
【００４２】
以上のように、本発明にかかる自走式掃除機は、ごみ検知手段を備えなくとも、ごみの多いことがあらかじめ予想できるベッドやテーブルの下等の物陰では、掃除能力を上げて集塵性能を向上させ、前後で吸引ノズルを動かすという動作または走行パターンを行わず、床面を傷めることがない自走式掃除機を提供することができる。このため、もぐりこんで作業をしなければならない手動では手の届きにくい場所の作業を自走して作業することができ、ワックスがけ等の作業機器としても有用である。
【図面の簡単な説明】
【００４３】
【図１】本発明の実施の形態１における自走式掃除機の構成を示すブロック図
【図２】同、実施の形態１の動作の流れを示すフローチャート
【図３】本発明の実施の形態２における自走式掃除機の構成を示すブロック図
【図４】本発明の実施の形態３における自走式掃除機の構成を示すブロック図
【図５】同、実施の形態３の動作の流れを示すフローチャート
【図６】本発明の実施の形態４、実施の形態５における自走式掃除機の構成を示すブロック図
【図７】同、実施の形態４、実施の形態５の動作の流れを示すフローチャート
【図８】従来の自走式掃除機における自走式掃除機の構成を示すブロック図
【図９】従来の自走式掃除機の動作の流れを示すフローチャート
【符号の説明】
【００４４】
１０２  駆動輪（走行手段）
１０３  上距離検知手段
１０４  吸引手段（掃除手段）
１０５  吸引能力可変手段（掃除能力可変手段）
１０６  制御手段
１０７  走行速度可変手段
１０８  吸着手段
１０９  報知手段
１１０  簡易掃除モード選択手段
【図１】
2005111042.tif 000003
【図２】
2005111042.tif 000004
【図３】
2005111042.tif 000005
【図４】
2005111042.tif 000006
【図５】
2005111042.tif 000007
【図６】
2005111042.tif 000008
【図７】
2005111042.tif 000009
【図８】
2005111042.tif 000010
【図９】
2005111042.tif 000011